(57)【特許請求の範囲】
【請求項１】
複数のカードの各々の識別情報と、該カードを使用するユーザの識別情報とを対応付けて記憶する第１の記憶部と、
カードによって支払う処理が行われた場合に、前記第１の記憶部に記憶された複数のカードのうち、支払う処理が行われたカードの識別情報に対応するユーザの識別情報をデータ量付与管理サーバへ送信する第１の送信部と
を備えるカード管理サーバと、
カードを使用するユーザの識別情報と、該ユーザによって使用される端末装置の識別情報とを対応付けて記憶する第２の記憶部と、
前記第２の記憶部に記憶されたユーザの識別情報のうち、前記カード管理サーバによって送信された前記ユーザの識別情報に対応する端末装置の識別情報をデータ残量管理サーバへ送信する第２の送信部と
を備えるデータ量付与管理サーバと、
複数の端末装置の各々の識別情報と、該端末装置が利用できるデータ量とを対応付けて記憶する第３の記憶部と、
該第３の記憶部に記憶されるデータ量のうち、前記データ量付与管理サーバによって送信される前記端末装置の識別情報に対応するデータ量を増加させるデータ量管理部と、
該第３の記憶部に記憶される前記端末装置の識別情報のうち、前記端末装置によって送信されるデータ通信要求に付帯される該端末装置の識別情報に対応するデータ量に基づいて、該データ通信要求を送信した該端末装置によって行われるデータ通信を制御する制御部と
を備える、前記データ残量管理サーバと
を備える、通信データ量管理システム。
【請求項２】
前記データ量付与管理サーバは、
カードによって支払う処理を行う複数の装置の各々の識別情報と、該装置によって支払う処理が行われた場合に付与するデータ量とを対応付けて記憶する第４の記憶部
を備え、
前記第１の送信部は、カードによって支払う処理が行われた装置の識別情報を前記データ量付与管理サーバへ送信し、
前記第２の送信部は、前記第４の記憶部に記憶された前記複数の装置の各々の識別情報のうち、前記カード管理サーバによって送信された前記装置の識別情報に対応する第１のデータ量を表す情報をデータ残量管理サーバへ送信し、
前記データ量管理部は、前記第３の記憶部に記憶されるデータ量のうち、前記データ量付与管理サーバによって送信される前記端末装置の識別情報に対応するデータ量に前記第１のデータ量を追加する、請求項１に記載の通信データ量管理システム。
【請求項３】
前記データ量付与管理サーバは、
カードによって支払う処理が行われる装置からカードによって支払われる金額又は購入商品に基づいて、データ付与量を決定するデータ量決定部
を備え、
前記第２の送信部は、前記データ量決定部によって決定された前記データ付与量を表す情報をデータ残量管理サーバへ送信し、
前記データ量管理部は、前記第３の記憶部に記憶されるデータ量のうち、前記データ量付与管理サーバによって送信される前記端末装置の識別情報に対応するデータ量に前記データ付与量を追加する、請求項１に記載の通信データ量管理システム。
【請求項４】
前記データ量付与管理サーバは、
カードによって支払う処理を行う複数の装置の各々の識別情報と、該装置によって支払う処理が行われた場合に付与するデータ量と、該装置によって支払う処理が行われた場合に付与されるデータを利用できるアクセス先を表す情報とを対応付けて記憶する第５の記憶部
を備え、
前記第１の送信部は、カードによって支払う処理が行われた装置の識別情報を前記データ量付与管理サーバへ送信し、
前記第２の送信部は、前記第５の記憶部に記憶された前記複数の装置の各々の識別情報のうち、前記カード管理サーバによって送信された前記装置の識別情報に対応する第１のデータ量を表す情報と、該装置によって支払う処理が行われた場合に付与されるデータを利用できるアクセス先を表す情報とをデータ残量管理サーバへ送信し、
前記データ量管理部は、前記第３の記憶部に記憶されるデータ量のうち、前記データ量付与管理サーバによって送信される前記端末装置の識別情報に対応するデータ量に前記第１のデータ量を追加し、
前記制御部は、
前記データ量付与管理サーバによって送信される前記アクセス先を示す情報に前記端末装置のアクセス先が含まれる場合に、前記第３の記憶部に記憶される該端末装置の識別情に対応するデータ量のうち、前記データ量管理部によって追加されたデータ量に基づいて、該端末装置によって行われるデータ通信を制御する、請求項１に記載の通信データ量管理システム。
【請求項５】
前記制御部は、前記データ通信要求を送信した前記端末装置によって行われるデータ通信を制御する際に、前記データ量管理部によって増加させたデータ量から利用する、請求項１から請求項４のいずれか１項に記載の通信データ量管理システム。
【請求項６】
前記第１の送信部は、カードによって支払う処理が行われた後に、返金処理が行われた場合に、前記支払う処理が行われたカードの識別情報に対応するユーザの識別情報と、返金処理が行われたことを表す情報をデータ量付与管理サーバへ送信し、
前記第２の送信部は、前記第２の記憶部に記憶されたユーザの識別情報のうち、前記カード管理サーバによって送信されたユーザの識別情報に対応する端末装置の識別情報と、前記返金処理が行われたことを表す情報をデータ残量管理サーバへ送信し、
前記データ量管理部は、前記第３の記憶部に記憶されるデータ量のうち、前記データ量付与管理サーバによって送信される前記端末装置の識別情報に対応するデータ量から前記第１のデータ量を減算する、請求項２に記載の通信データ量管理システム。
【請求項７】
複数のカードの各々の識別情報と、該カードを使用するユーザの識別情報とを対応付けて記憶する記憶部と、
カードによって支払う処理が行われた場合に、前記記憶部に記憶された複数のカードのうち、支払う処理が行われたカードの識別情報に対応するユーザの識別情報をデータ量付与管理サーバへ送信する送信部と
を備える、カード管理サーバ。
【請求項８】
カードを使用するユーザの識別情報と、該ユーザによって使用される端末装置の識別情報とを対応付けて記憶する記憶部と、
前記記憶部に記憶されたユーザの識別情報のうち、カード管理サーバによって送信された前記ユーザの識別情報に対応する端末装置の識別情報をデータ残量管理サーバへ送信する送信部と
を備える、データ量付与管理サーバ。
【請求項９】
複数の端末装置の各々の識別情報と、該端末装置が利用できるデータ量とを対応付けて記憶する記憶部と、
該記憶部に記憶されるデータ量のうち、データ量付与管理サーバによって送信される前記端末装置の識別情報に対応するデータ量を増加させるデータ量管理部と、
前記記憶部に記憶される前記端末装置の識別情報のうち、前記端末装置によって送信されるデータ通信要求に付帯される該端末装置の識別情報に対応するデータ量に基づいて、該データ通信要求を送信した該端末装置によって行われるデータ通信を制御する制御部と
を備える、データ残量管理サーバ。
【請求項１０】
カードによって支払う処理が行われた場合に、複数のカードの各々の識別情報と、該カードを使用するユーザの識別情報とを対応付けて記憶する記憶部に記憶された複数のカードのうち、支払う処理が行われたカードの識別情報に対応するユーザの識別情報をデータ量付与管理サーバへ送信する、カード管理サーバによって実行される方法。
【請求項１１】
カードを使用するユーザの識別情報と、該ユーザによって使用される端末装置の識別情報とを対応付けて記憶する記憶部に記憶されたユーザの識別情報のうち、カード管理サーバによって送信された前記ユーザの識別情報に対応する端末装置の識別情報をデータ残量管理サーバへ送信する、データ量付与管理サーバによって実行される方法。
【請求項１２】
複数の端末装置の各々の識別情報と、該端末装置が利用できるデータ量とを対応付けて記憶する記憶部に記憶されるデータ量のうち、データ量付与管理サーバによって送信される前記端末装置の識別情報に対応するデータ量を増加させ、
前記記憶部に記憶される前記端末装置の識別情報のうち、前記端末装置によって送信されるデータ通信要求に付帯される該端末装置の識別情報に対応するデータ量に基づいて、該データ通信要求を送信した該端末装置によって行われるデータ通信を制御する、通信データ残量管理サーバによって実行される方法。
【請求項１３】
カード管理サーバのコンピュータに、
カードによって支払う処理が行われた場合に、複数のカードの各々の識別情報と、該カードを使用するユーザの識別情報とを対応付けて記憶する記憶部に記憶された複数のカードのうち、支払う処理が行われたカードの識別情報に対応するユーザの識別情報をデータ量付与管理サーバへ送信するステップ
を実行させる、プログラム。
【請求項１４】
データ量付与管理サーバのコンピュータに、
カードを使用するユーザの識別情報と、該ユーザによって使用される端末装置の識別情報とを対応付けて記憶する記憶部に記憶されたユーザの識別情報のうち、カード管理サーバによって送信された前記ユーザの識別情報に対応する端末装置の識別情報をデータ残量管理サーバへ送信するステップ
を実行させる、プログラム。
【請求項１５】
データ残量管理サーバのコンピュータに、
複数の端末装置の各々の識別情報と、該端末装置が利用できるデータ量とを対応付けて記憶する記憶部に記憶されるデータ量のうち、カード管理サーバによって送信される前記端末装置の識別情報に対応するデータ量を増加させるステップと、
前記記憶部に記憶される端末装置の識別情報のうち、前記端末装置によって送信されるデータ通信要求に付帯される該端末装置の識別情報に対応するデータ量に基づいて、該データ通信要求を送信した該端末装置によって行われるデータ通信を制御するステップと
を実行させる、プログラム。
【発明の詳細な説明】
【技術分野】
【０００１】
本発明は、通信データ量管理システム、カード管理サーバ、データ量付与管理サーバ、データ残量管理サーバ、方法、及びプログラムに関する。
【背景技術】
【０００２】
小売店舗等における販促活動として、顧客に対してクーポンを電子的な情報として携帯端末等に対して発行する技術が知られている。例えば、クレジットカードでの購買に対して決済時に一括して適用可能なクーポンを適用して割引額をキャッシュバックするクーポンサービスが知られている（例えば、特許文献１参照）。
【先行技術文献】
【特許文献】
【０００３】
【特許文献１】特開２０１５−０５２８８５号公報
【発明の概要】
【発明が解決しようとする課題】
【０００４】
しかし、携帯端末等に対して発行されたクーポンを使用する場合、顧客は携帯端末を使用してクーポンを表示したり提示したりする必要がある。また、店舗では、携帯端末に表示されるクーポンを読み取る必要がある。このため、クーポンを読み取る作業等の負荷や、システム対応等のコスト等が発生する。
本発明は、上記問題を解決すべくなされたもので、その目的は、特定のカードでの購買を促すことを目的とする。
【課題を解決するための手段】
【０００５】
（１）本発明の一態様は、複数のカードの各々の識別情報と、該カードを使用するユーザの識別情報とを対応付けて記憶する第１の記憶部と、カードによって支払う処理が行われた場合に、前記第１の記憶部に記憶された複数のカードのうち、支払う処理が行われたカードの識別情報に対応するユーザの識別情報をデータ量付与管理サーバへ送信する第１の送信部とを備えるカード管理サーバと、カードを使用するユーザの識別情報と、該ユーザによって使用される端末装置の識別情報とを対応付けて記憶する第２の記憶部と、前記第２の記憶部に記憶されたユーザの識別情報のうち、前記カード管理サーバによって送信された前記ユーザの識別情報に対応する端末装置の識別情報をデータ残量管理サーバへ送信する第２の送信部とを備えるデータ量付与管理サーバと、複数の端末装置の各々の識別情報と、該端末装置が利用できるデータ量とを対応付けて記憶する第３の記憶部と、該第３の記憶部に記憶されるデータ量のうち、前記データ量付与管理サーバによって送信される前記端末装置の識別情報に対応するデータ量を増加させるデータ量管理部と、該第３の記憶部に記憶される前記端末装置の識別情報のうち、前記端末装置によって送信されるデータ通信要求に付帯される該端末装置の識別情報に対応するデータ量に基づいて、該データ通信要求を送信した該端末装置によって行われるデータ通信を制御する制御部とを備える、前記データ残量管理サーバとを備える、通信データ量管理システムである。
【０００６】
（２）本発明の一態様は、上記（１）に記載の通信データ量管理システムにおいて、前記データ量付与管理サーバは、カードによって支払う処理を行う複数の装置の各々の識別情報と、該装置によって支払う処理が行われた場合に付与するデータ量とを対応付けて記憶する第４の記憶部を備え、前記第１の送信部は、カードによって支払う処理が行われた装置の識別情報を前記データ量付与管理サーバへ送信し、前記第２の送信部は、前記第４の記憶部に記憶された前記複数の装置の各々の識別情報のうち、前記カード管理サーバによって送信された前記装置の識別情報に対応する第１のデータ量を表す情報をデータ残量管理サーバへ送信し、前記データ量管理部は、前記第３の記憶部に記憶されるデータ量のうち、前記データ量付与管理サーバによって送信される前記端末装置の識別情報に対応するデータ量に前記第１のデータ量を追加する、通信データ量管理システムである。
【０００７】
（３）本発明の一態様は、上記（１）に記載の通信データ量管理システムにおいて、前記データ量付与管理サーバは、カードによって支払う処理が行われる装置からカードによって支払われる金額又は購入商品に基づいて、データ付与量を決定するデータ量決定部を備え、前記第２の送信部は、前記データ量決定部によって決定された前記データ付与量を表す情報をデータ残量管理サーバへ送信し、前記データ量管理部は、前記第３の記憶部に記憶されるデータ量のうち、前記データ量付与管理サーバによって送信される前記端末装置の識別情報に対応するデータ量に前記データ付与量を追加する、通信データ量管理システムである。
【０００８】
（４）本発明の一態様は、上記（１）に記載の通信データ量管理システムにおいて、前記データ量付与管理サーバは、カードによって支払う処理を行う複数の装置の各々の識別情報と、該装置によって支払う処理が行われた場合に付与するデータ量と、該装置によって支払う処理が行われた場合に付与されるデータを利用できるアクセス先を表す情報とを対応付けて記憶する第５の記憶部を備え、前記第１の送信部は、カードによって支払う処理が行われた装置の識別情報を前記データ量付与管理サーバへ送信し、前記第２の送信部は、前記第５の記憶部に記憶された前記複数の装置の各々の識別情報のうち、前記カード管理サーバによって送信された前記装置の識別情報に対応する第１のデータ量を表す情報と、該装置によって支払う処理が行われた場合に付与されるデータを利用できるアクセス先を表す情報とをデータ残量管理サーバへ送信し、前記データ量管理部は、前記第３の記憶部に記憶されるデータ量のうち、前記データ量付与管理サーバによって送信される前記端末装置の識別情報に対応するデータ量に前記第１のデータ量を追加し、前記制御部は、前記データ量付与管理サーバによって送信される前記アクセス先を示す情報に前記端末装置のアクセス先が含まれる場合に、前記第３の記憶部に記憶される該端末装置の識別情に対応するデータ量のうち、前記データ量管理部によって追加されたデータ量に基づいて、該端末装置によって行われるデータ通信を制御する、通信データ量管理システムである。
【０００９】
（５）本発明の一態様は、上記（１）から上記（５）のいずれか１項に記載の通信データ量管理システムにおいて、前記制御部は、前記データ通信要求を送信した前記端末装置によって行われるデータ通信を制御する際に、前記データ量管理部によって増加させたデータ量から利用する、通信データ量管理システムである。
【００１０】
（６）本発明の一態様は、上記（２）に記載の通信データ量管理システムにおいて、前記第１の送信部は、カードによって支払う処理が行われた後に、返金処理が行われた場合に、前記支払う処理が行われたカードの識別情報に対応するユーザの識別情報と、返金処理が行われたことを表す情報をデータ量付与管理サーバへ送信し、前記第２の送信部は、前記第２の記憶部に記憶されたユーザの識別情報のうち、前記カード管理サーバによって送信されたユーザの識別情報に対応する端末装置の識別情報と、前記返金処理が行われたことを表す情報をデータ残量管理サーバへ送信し、前記データ量管理部は、前記第３の記憶部に記憶されるデータ量のうち、前記データ量付与管理サーバによって送信される前記端末装置の識別情報に対応するデータ量から前記第１のデータ量を減算する、通信データ量管理システムである。
【００１１】
（７）本発明の一態様は、複数のカードの各々の識別情報と、該カードを使用するユーザの識別情報とを対応付けて記憶する記憶部と、カードによって支払う処理が行われた場合に、前記記憶部に記憶された複数のカードのうち、支払う処理が行われたカードの識別情報に対応するユーザの識別情報をデータ量付与管理サーバへ送信する送信部とを備える、カード管理サーバである。
【００１２】
（８）本発明の一態様は、カードを使用するユーザの識別情報と、該ユーザによって使用される端末装置の識別情報とを対応付けて記憶する記憶部と、前記記憶部に記憶されたユーザの識別情報のうち、カード管理サーバによって送信された前記ユーザの識別情報に対応する端末装置の識別情報をデータ残量管理サーバへ送信する送信部とを備える、データ量付与管理サーバである。
【００１３】
（９）本発明の一態様は、複数の端末装置の各々の識別情報と、該端末装置が利用できるデータ量とを対応付けて記憶する記憶部と、該記憶部に記憶されるデータ量のうち、データ量付与管理サーバによって送信される前記端末装置の識別情報に対応するデータ量を増加させるデータ量管理部と、前記記憶部に記憶される前記端末装置の識別情報のうち、前記端末装置によって送信されるデータ通信要求に付帯される該端末装置の識別情報に対応するデータ量に基づいて、該データ通信要求を送信した該端末装置によって行われるデータ通信を制御する制御部とを備える、データ残量管理サーバである。
【００１４】
（１０）本発明の一態様は、カードによって支払う処理が行われた場合に、複数のカードの各々の識別情報と、該カードを使用するユーザの識別情報とを対応付けて記憶する記憶部に記憶された複数のカードのうち、支払う処理が行われたカードの識別情報に対応するユーザの識別情報をデータ量付与管理サーバへ送信する、カード管理サーバによって実行される方法である。
【００１５】
（１１）本発明の一態様は、カードを使用するユーザの識別情報と、該ユーザによって使用される端末装置の識別情報とを対応付けて記憶する記憶部に記憶されたユーザの識別情報のうち、カード管理サーバによって送信された前記ユーザの識別情報に対応する端末装置の識別情報をデータ残量管理サーバへ送信する、データ量付与管理サーバによって実行される方法である。
【００１６】
（１２）本発明の一態様は、複数の端末装置の各々の識別情報と、該端末装置が利用できるデータ量とを対応付けて記憶する記憶部に記憶されるデータ量のうち、データ量付与管理サーバによって送信される前記端末装置の識別情報に対応するデータ量を増加させ、前記記憶部に記憶される前記端末装置の識別情報のうち、前記端末装置によって送信されるデータ通信要求に付帯される該端末装置の識別情報に対応するデータ量に基づいて、該データ通信要求を送信した該端末装置によって行われるデータ通信を制御する、通信データ残量管理サーバによって実行される方法である。
【００１７】
（１３）本発明の一態様は、カード管理サーバのコンピュータに、カードによって支払う処理が行われた場合に、複数のカードの各々の識別情報と、該カードを使用するユーザの識別情報とを対応付けて記憶する記憶部に記憶された複数のカードのうち、支払う処理が行われたカードの識別情報に対応するユーザの識別情報をデータ量付与管理サーバへ送信するステップを実行させる、プログラムである。
【００１８】
（１４）本発明の一態様は、データ量付与管理サーバのコンピュータに、カードを使用するユーザの識別情報と、該ユーザによって使用される端末装置の識別情報とを対応付けて記憶する記憶部に記憶されたユーザの識別情報のうち、カード管理サーバによって送信された前記ユーザの識別情報に対応する端末装置の識別情報をデータ残量管理サーバへ送信するステップを実行させる、プログラムである。
【００１９】
（１５）本発明の一態様は、データ残量管理サーバのコンピュータに、複数の端末装置の各々の識別情報と、該端末装置が利用できるデータ量とを対応付けて記憶する記憶部に記憶されるデータ量のうち、カード管理サーバによって送信される前記端末装置の識別情報に対応するデータ量を増加させるステップと、前記記憶部に記憶される端末装置の識別情報のうち、前記端末装置によって送信されるデータ通信要求に付帯される該端末装置の識別情報に対応するデータ量に基づいて、該データ通信要求を送信した該端末装置によって行われるデータ通信を制御するステップとを実行させる、プログラムである。
【発明の効果】
【００２０】
本発明の実施形態によれば、特定のカードでの購買を促すことができる。
【図面の簡単な説明】
【００２１】
【図１】本実施形態に係る無線通信システムの一例を示す図である。
【図２】本実施形態に係る端末装置の一例を示す図である。
【図３】本実施形態に係るＰＯＳ端末装置の一例を示す図である。
【図４】本実施形態に係るセルラー基地局装置の一例を示す図である。
【図５】本実施形態に係る無線通信システムの機能ブロック図である。
【図６】カード・ユーザ対応テーブルの一例を示す図である。
【図７】ユーザ・端末装置対応テーブルの一例を示す図である。
【図８】利用データ量テーブルの一例を示す図である。
【図９】本実施形態に係る無線通信システムの動作を示す図である。
【図１０】本実施形態に係る無線通信システムの動作を示す図である。
【図１１】本実施形態に係る無線通信システムの機能ブロック図である。
【図１２】付与データ量テーブルの一例を示す図である。
【図１３】本実施形態に係る無線通信システムの動作を示す図である。
【図１４】付与データ量テーブルの一例を示す図である。
【図１５】付与データ量テーブルの一例を示す図である。
【図１６】付与データ量テーブルの一例を示す図である。
【発明を実施するための形態】
【００２２】
＜第１の実施形態＞
＜無線通信システム＞
図１は、本実施形態に係る無線通信システムを示す。本実施形態に係る無線通信システムは、カード１０と、端末装置１００と、ＰＯＳ端末装置２００ａと、ＰＯＳ端末装置２００ｂと、セルラー基地局装置３００と、データ量付与管理サーバ４００と、データ残量管理サーバ５００と、カード管理サーバ６００とを備えている。
ＰＯＳ端末装置２００ａ、ＰＯＳ端末装置２００ｂ、データ量付与管理サーバ４００、及びカード管理サーバ６００は、インターネット等の通信網２０を介して接続される。また、セルラー基地局装置３００、及びデータ残量管理サーバ５００は、セルラー通信網５０と接続される。セルラー通信網５０の一例はＬＴＥにしたがって構築された通信網である。ただし、セルラー通信網５０は、ＬＴＥにしたがって構築された通信網に限られず、ＬＴＥにしたがって構築された通信網以外の３Ｇ等の通信網を適用できる。図１においては、通信網２０とセルラー通信網５０との間に設けられるゲートウェイは省略される。以下、ＰＯＳ端末装置２００ａと、ＰＯＳ端末装置２００ｂとを区別しない場合にはＰＯＳ端末装置２００と記載する。
【００２３】
カード１０は、プリペイドカード、クレジットカード、電子マネー、ポイントカード、プリペイドカード等である。端末装置１００は、音声や文字によって他の装置との間で相互に通信が可能な通信装置であり、端末装置１００の一例は、携帯電話、スマートフォン、タブレット端末等である。端末装置１００は、セルラー基地局装置３００と接続することによって、セルラー通信網５０を経由して、他の装置との間で相互に通信が可能である。また、端末装置１００は、セルラー基地局装置３００と接続することによって、セルラー通信網５０を経由して、他の装置との間で通信が可能である。また、端末装置１００は、無線ＬＡＮ、ブルートゥース、ＮＦＣ（Ｎｅａｒ  ｆｉｅｌｄ  ｒａｄｉｏ  ｃｏｍｍｕｎｉｃａｔｉｏｎ）等の近距離無線通信を行うことによって、通信網２０を経由して、他の装置との間で通信を行うようにしてもよい。
【００２４】
ＰＯＳ端末装置２００は、店舗に設置され、店舗において行われる購買の決済を行う。例えば、ユーザがカード１０による決済を行う場合、ユーザは店舗においてカード１０を提示し、ＰＯＳ端末装置２００は該カード１０の情報を読み込む。ＰＯＳ端末装置２００は、読み込んだカード１０の情報を含む決済通知をカード管理サーバ６００へ送信する。セルラー基地局装置３００は、端末装置１００との間で無線通信を行うとともに、セルラー通信網５０の末端となり、複数の端末装置間の通信を交換機との間で中継する。カード管理サーバ６００は、カード１０のユーザとＰＯＳ端末装置２００が設置された店舗との間の取引に応じた代金を店舗に支払う。カード管理サーバ６００には、カード会社がクレジットカード等のカード１０を発行した会員の氏名、生年月日、住所、代金の請求対象である銀行口座、カードの有効期限、利用限度額、クレジットカードの利用履歴等の会員情報が記憶されている。また、カード管理サーバ６００には、カード会社が発行したカードで取引を行うことができる会社や店舗等の加盟店に関する加盟店情報が記憶されている。
【００２５】
カード管理サーバ６００は、複数のカードの各々の識別情報と、該カードを使用するユーザの識別情報とを対応付けて記憶している。カード管理サーバ６００は、カード１０によって支払う処理が行われた場合に、複数のカードのうち、支払う処理が行われたカードの識別情報に対応するユーザの識別情報をデータ量付与管理サーバ４００へ送信する。
データ量付与管理サーバ４００は、カードを使用するユーザの識別情報と、該ユーザによって使用される端末装置の識別情報とを対応付けて登録する。データ量付与管理サーバ４００は、記憶されたユーザの識別情報のうち、カード管理サーバ６００によって送信されたユーザの識別情報が登録されているか否かを判定する。データ量付与管理サーバ４００は、ユーザの識別情報が登録されていると判定した場合、該ユーザの識別情報に対応する端末装置の識別情報をデータ残量管理サーバ５００へ送信する。
【００２６】
データ残量管理サーバ５００は、複数の端末装置の各々の識別情報と、該端末装置の利用可能データ量とを対応付けて記憶する。データ残量管理サーバ５００は、セルラー基地局装置３００の通信エリアに位置する端末装置１００によって行われるデータ通信を該端末装置１００の利用可能データ量に基づいて制御する。データ残量管理サーバ５００は、端末装置１００が利用したデータ量に応じて、利用可能データ量を減少させる。データ残量管理サーバ５００は、利用したデータ量が利用可能データ量に到達し、超過する場合、通信速度を制限する。
データ残量管理サーバ５００は、データ量付与管理サーバ４００によって送信される端末装置１００の識別情報を受信すると、該端末装置１００の識別情報に対応する該端末装置１００の利用可能データ量を増加させる。ユーザの使用するカードの識別情報に対応するユーザの識別情報がデータ量付与管理サーバ４００に登録されている場合に、該ユーザによって使用される端末装置１００の利用可能データ量を増加させる。これによって、端末装置１００のユーザは、増加したデータ量を利用してデータ通信ができるため、カードを利用しようとするインセンティブが働く。これによって、特定のカードでの購買を促すことができる。
【００２７】
＜端末装置の構成＞
図２は、本実施形態に係る端末装置１００のハードウェア構成の一例を示す。端末装置１００は、ＣＰＵ２０２と、メモリ２０４と、不揮発性メモリ２０６と、ディスプレイ２１０と、操作部２１２と、記録媒体Ｉ／Ｆ２１４と、通信Ｉ／Ｆ２１６と、内部バス２１８とを備えている。
ＣＰＵ２０２は、例えば不揮発性メモリ２０６に格納されるプログラム２０６２を実行し、メモリ２０４をワークメモリとして使用して、端末装置１００の各部を制御する。メモリ２０４は、半導体素子を利用した揮発性のメモリ等のＲＡＭによって構成され、ＣＰＵ２０２のワークメモリとして使用される。不揮発性メモリ２０６は、例えばハードディスク（ＨＤ）やＲＯＭ等によって構成される。不揮発性メモリ２０６には、ＣＰＵ２０２によって実行されるプログラム２０６２が格納される。ディスプレイ２１０は、ＣＰＵ２０２によって制御され、画像、ＧＵＩ（Ｇｒａｐｈｉｃａｌ  Ｕｓｅｒ  Ｉｎｔｅｒｆａｃｅ）等を表示する。
【００２８】
ＣＰＵ２０２は、プログラム２０６２を実行することによって制御信号や、ディスプレイ２１０に表示する画像を表す映像信号を生成する。ＣＰＵ２０２は、画像を表す映像信号をディスプレイ２１０へ出力する。ディスプレイ２１０は、ＣＰＵ２０２によって出力された映像信号を処理することによって、映像を表示する。操作部２１２は、ユーザの操作を受け付ける入力デバイスである。記録媒体Ｉ／Ｆ２１４は、メモリカード、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の記録媒体２２０が装着可能であり、ＣＰＵ２０２の制御によって、記録媒体Ｉ／Ｆ２１４に装着された記録媒体２２０からのデータの読み出しや、該記録媒体２２０へのデータの書き込みを行う。
【００２９】
通信Ｉ／Ｆ２１６は、外部機器や、通信網２０に接続された基地局装置や、セルラー通信網５０に接続されたセルラー基地局装置３００等と通信して、ファイル、コマンド、映像データ、音声データ等の各種コンテンツの送受信を行うためのインターフェースである。内部バス２１８は、ＣＰＵ２０２、メモリ２０４、不揮発性メモリ２０６、ディスプレイ２１０、操作部２１２、記録媒体Ｉ／Ｆ２１４、通信Ｉ／Ｆ２１６を互いに接続する。内部バス２１８に接続される各部は、内部バス２１８を介して互いにデータのやりとりを行うことができるようにされている。
【００３０】
＜ＰＯＳ端末装置の構成＞
図３は、ＰＯＳ端末装置２００のハードウェア構成の一例を示す。ＰＯＳ端末装置２００は、ＣＰＵ３０２と、メモリ３０４と、不揮発性メモリ３０６と、入力部３０８と、通信Ｉ／Ｆ３１６と、内部バス３１８とを備えている。
ＣＰＵ３０２は、例えば不揮発性メモリ３０６に格納されるプログラム３０６２を実行し、メモリ３０４をワークメモリとして使用して、ＰＯＳ端末装置２００の各部を制御する。メモリ３０４は、半導体素子を利用した揮発性のメモリ等のＲＡＭによって構成される。メモリ３０４は、ＣＰＵ３０２のワークメモリとして使用される。不揮発性メモリ３０６は、例えばハードディスクやＲＯＭ等によって構成され、ＣＰＵ３０２によって実行されるプログラムや、ＰＯＳ端末装置２００の識別情報が格納される。入力部３０８は、キーボードやタッチパネル等の入力デバイスであり、操作に応じた入力信号を生成する。例えば、入力部３０８には、店舗においてユーザが購入する商品の品目、個数、売上金額等の取引情報が入力される。また、入力部３０８は、カード１０の情報を読み取るカードリーダを含む。カードリーダは、ユーザから店員に提示されたカード１０から、カード番号を読み取る。例えば、カードリーダは、ＩＣ（Ｉｎｔｅｇｒａｔｅｄ  Ｃｉｒｃｕｉｔ）カードからカード番号を読み取るＩＣカードリーダでもよいし、磁気カードからカード番号を読み取る磁気カードリーダでもよい。カードによる支払を行う場合、入力部３０８は、支払回数やクレジットカード認証のためのＰＩＮ（Ｐｅｒｓｏｎａｌ  ｉｄｅｎｔｉｆｉｃａｔｉｏｎ  ｎｕｍｂｅｒ）等の入力を受け付ける。通信Ｉ／Ｆ３１６は、カード管理サーバ６００等の外部機器と通信して、ファイル、コマンド、データ等の送受信を行うためのインターフェースである。内部バス３１８は、ＣＰＵ３０２、メモリ３０４、不揮発性メモリ３０６、入力部３０８、通信Ｉ／Ｆ３１６を互いに接続する。内部バス３１８に接続される各部は、内部バス３１８を介して互いにデータのやりとりを行うことができるようにされている。
【００３１】
＜セルラー基地局装置の構成＞
図４は、セルラー基地局装置３００のハードウェア構成の一例を示す。セルラー基地局装置３００は、ＣＰＵ４０２と、メモリ４０４と、不揮発性メモリ４０６と、通信Ｉ／Ｆ４１６と、内部バス４１８とを備えている。
ＣＰＵ４０２は、例えば不揮発性メモリ４０６に格納されるプログラムを実行し、メモリ４０４をワークメモリとして使用して、セルラー基地局装置３００の各部を制御する。メモリ４０４は、半導体素子を利用した揮発性のメモリ等のＲＡＭによって構成される。メモリ４０４は、ＣＰＵ４０２のワークメモリとして使用される。不揮発性メモリ４０６は、例えばハードディスクやＲＯＭ等によって構成され、ＣＰＵ４０２によって実行されるプログラムが格納される。通信Ｉ／Ｆ４１６は、端末装置１００等の外部機器と通信して、ファイル、コマンド、映像データ、音声データ等の各種コンテンツの送受信を行うインターフェースである。内部バス４１８は、ＣＰＵ４０２、メモリ４０４、不揮発性メモリ４０６、通信Ｉ／Ｆ４１６を互いに接続する。内部バス４１８に接続される各部は、内部バス４１８を介して互いにデータのやりとりを行うことができるようにされている。
【００３２】
＜データ量付与管理サーバ、データ残量管理サーバ、及びカード管理サーバの構成＞
データ量付与管理サーバ４００、データ残量管理サーバ５００、及びカード管理サーバ６００のハードウェア構成は、図４を適用できる。ただし、データ量付与管理サーバ４００の不揮発性メモリ４０６にはデータ量付与管理サーバ４００のＣＰＵ４０２によって実行されるプログラム４０６２が格納される。また、データ残量管理サーバ５００の不揮発性メモリ４０６にはデータ残量管理サーバ５００のＣＰＵ４０２によって実行されるプログラム４０６２が格納される。また、カード管理サーバ６００の不揮発性メモリ４０６にはカード管理サーバ６００のＣＰＵ４０２によって実行されるプログラム４０６２が格納される。
【００３３】
＜本実施形態に係る無線通信システムの機能構成＞
図５は、本実施形態の無線通信システムを構成する端末装置１００、セルラー基地局装置３００、データ量付与管理サーバ４００、データ残量管理サーバ５００、及びカード管理サーバ６００の機能ブロック図である。
＜端末装置の機能構成＞
端末装置１００は、無線通信部１５２、近距離無線通信部１５４、通信制御部１５６、操作検出部１５８、表示制御部１６２、記憶部１６４、及び上記各構成要素を図４に示されているように電気的に接続するためのアドレスバスやデータバス等のバスライン１６６を有している。これらの各部は、図５に示されている各構成要素のいずれかが、不揮発性メモリ２０６からメモリ２０４上に展開されたプログラム２０６２を実行するＣＰＵ２０２からの命令によって動作することで実現される機能である。
＜端末装置の各機能構成＞
図２及び図５を用いて、端末装置１００の各機能構成について詳細に説明する。なお、以下では、端末装置１００の各機能構成を説明するにあたって、図２に示されている各構成要素のうち、端末装置１００の各機能構成を実現させるための主なハードウェアとの関係も説明する。
【００３４】
無線通信部１５２は、ＣＰＵ２０２からの命令、及び通信Ｉ／Ｆ２１６によって実現される。無線通信部１５２は、セルラー基地局装置３００等の他の装置との間で各種データの送受信を行う。近距離無線通信部１５４は、ＣＰＵ２０２からの命令、及び通信Ｉ／Ｆ２１６によって実現される。近距離無線通信部１５４は、基地局装置等の他の装置との間で各種データの送受信を行う。例えば、近距離無線通信部１５４は、無線ＬＡＮ、ブルートゥース、ＮＦＣ（Ｎｅａｒ  ｆｉｅｌｄ  ｒａｄｉｏ  ｃｏｍｍｕｎｉｃａｔｉｏｎ）等の近距離無線通信を行うことによって、他の装置との間で通信を行う。
通信制御部１５６は、ＣＰＵ２０２がアプリを実行することによって出力する命令、及び通信Ｉ／Ｆ２１６によって実現される。通信制御部１５６は、無線通信部１５２とセルラー基地局装置３００との間での接続処理や、通信制御を行う。また、通信制御部１５６は、近距離無線通信部１５４と基地局装置との間での接続処理や、通信制御を行う。また、通信制御部１５６は、後述する操作検出部１５８によってデータ通信を要求する操作を検出したことが通知された場合に、端末装置１００の識別情報を付帯したデータ通信要求を作成する。通信制御部１５６は、無線通信部１５２からセルラー基地局装置３００へ、データ通信要求を送信する。
【００３５】
操作検出部１５８は、ＣＰＵ２０２からの命令、及び操作部２１２によって実現される。操作検出部１５８は、利用者による各種入力を検出する。例えば、操作検出部１５８は、ユーザによって行われるデータ通信を要求する操作を検出する。操作検出部１５８は、データ通信を要求する操作を検出したことを通信制御部１５６へ通知する。表示制御部１６２は、ＣＰＵ２０２からの命令、及びディスプレイ２１０によって実現される。表示制御部１６２は、ディスプレイ２１０にコンテンツを表示する制御を行う。記憶部１６４は、不揮発性メモリ２０６によって実現される。記憶部１６４は、端末装置１００の識別情報等を記憶する。
【００３６】
＜カード管理サーバの機能構成＞
カード管理サーバ６００は、通信部６５２、通信制御部６５６、ユーザ識別情報取得部６５８、記憶部６６２、及び上記各構成要素を図５に示されているように電気的に接続するためのアドレスバスやデータバス等のバスライン６６４を有している。これらの各部は、図５に示されている各構成要素のいずれかが、カード管理サーバ６００において、不揮発性メモリ４０６からメモリ４０４上に展開されたプログラム４０６２を実行するＣＰＵ４０２からの命令によって動作することで実現される機能である。
＜カード管理サーバの各機能構成＞
図４及び図５を用いて、カード管理サーバ６００の各機能構成について詳細に説明する。なお、以下では、カード管理サーバ６００の各機能構成を説明するにあたって、図５に示されている各構成要素のうち、カード管理サーバ６００の各機能構成を実現させるための主なハードウェアとの関係も説明する。
通信部６５２は、ＣＰＵ４０２からの命令、及び通信Ｉ／Ｆ４１６によって実現される。通信部６５２は、通信網２０を介して、データ量付与管理サーバ４００等の他の装置との間で各種データの送受信を行う。記憶部６６２は、不揮発性メモリ４０６によって実現される。記憶部６６２は、カード・ユーザ対応テーブル６６２２と、カード管理サーバ６００の識別情報を記憶する。
【００３７】
＜カード・ユーザ対応テーブル＞
図６は、カード・ユーザ対応テーブルの一例を示す。カード・ユーザ対応テーブルには、カードの識別情報と、ユーザの識別情報とが対応付けられて記憶される。図６に示される例では、カードの識別情報「１１１１−１１１１−１１１１−１１１１」と、ユーザの識別情報「ＩＤ０１」とが対応付けられている。図５に戻り説明を続ける。
通信制御部６５６は、ＣＰＵ４０２からの命令、及び通信Ｉ／Ｆ４１６によって実現される。通信制御部６５６は、ＰＯＳ端末装置２００によって送信されたカードの識別情報が通信部６５２で受信されると、該カードの識別情報をユーザ識別情報取得部６５８に入力する。そして、通信制御部６５６は、ユーザ識別情報取得部６５８によって入力されるユーザの識別情報を通信部６５２からデータ量付与管理サーバ４００へ送信する。ユーザ識別情報取得部６５８は、ＣＰＵ４０２からの命令によって実現される。ユーザ識別情報取得部６５８は、通信制御部６５６によってカードの識別情報が入力されると、記憶部６６２に記憶されたカード・ユーザ対応テーブル６６２２を参照し、該カードの識別情報に対応するユーザの識別情報を取得する。ユーザ識別情報取得部６５８は、カード・ユーザ対応テーブル６６２２から取得したユーザの識別情報を通信部６５２からデータ量付与管理サーバ４００へ送信する。
【００３８】
＜セルラー基地局装置の機能構成＞
セルラー基地局装置３００は、通信部３５２、通信制御部３５４、無線通信部３６０、記憶部３６２、及び上記各構成要素を図５に示されているように電気的に接続するためのアドレスバスやデータバス等のバスライン３６４を有している。これらの各部は、図５に示されている各構成要素のいずれかが、セルラー基地局装置３００において、不揮発性メモリ４０６からメモリ４０４上に展開されたプログラム４０６２を実行するＣＰＵ４０２からの命令によって動作することで実現される機能である。
＜セルラー基地局装置の各機能構成＞
図４及び図５を用いて、セルラー基地局装置３００の各機能構成について詳細に説明する。なお、以下では、セルラー基地局装置３００の各機能構成を説明するにあたって、図５に示されている各構成要素のうち、セルラー基地局装置３００の各機能構成を実現させるための主なハードウェアとの関係も説明する。
通信部３５２は、ＣＰＵ４０２からの命令、及び通信Ｉ／Ｆ４１６によって実現される。通信部３５２は、セルラー通信網５０に接続されるデータ残量管理サーバ５００等の他の装置との間で各種データの送受信を行う。通信制御部３５４は、ＣＰＵ４０２からの命令、及び通信Ｉ／Ｆ４１６によって実現される。通信制御部３５４は、無線通信部３６０と、端末装置１００の無線通信部１５２との間での無線通信による接続処理や、通信制御を行う。通信制御部３５４は、通信部３５２と、データ残量管理サーバ５００の通信部５５２との間での接続処理や、通信制御を行う。また、通信制御部３５４は、端末装置１００によって送信されるデータ通信要求が無線通信部３６０に受信された場合に、該データ通信要求に付帯される端末装置１００の識別情報をデータ残量管理サーバ５００へ送信する。無線通信部３６０は、ＣＰＵ４０２からの命令、及び通信Ｉ／Ｆ４１６によって実現される。無線通信部３６０は、端末装置１００等の他の装置との間で、ＬＴＥ等の通信規格にしたがって各種データの送受信を行う。記憶部３６２は、不揮発性メモリ４０６によって実現される。記憶部３６２は、セルラー基地局装置３００の識別情報を記憶する。
【００３９】
＜データ量付与管理サーバの機能構成＞
データ量付与管理サーバ４００は、通信部４５２、通信制御部４５４、データ量付与判定部４５６、記憶部４５８、及び上記各構成要素を図５に示されているように電気的に接続するためのアドレスバスやデータバス等のバスライン４６０を有している。これらの各部は、図５に示されている各構成要素のいずれかが、データ量付与管理サーバ４００において、不揮発性メモリ４０６からメモリ４０４上に展開されたプログラム４０６２を実行するＣＰＵ４０２からの命令によって動作することで実現される機能である。
＜データ量付与管理サーバの各機能構成＞
図４及び図５を用いて、データ量付与管理サーバ４００の各機能構成について詳細に説明する。なお、以下では、データ量付与管理サーバ４００の各機能構成を説明するにあたって、図４に示されている各構成要素のうち、データ量付与管理サーバ４００の各機能構成を実現させるための主なハードウェアとの関係も説明する。
通信部４５２は、ＣＰＵ４０２からの命令、及び通信Ｉ／Ｆ４１６によって実現される。通信部４５２は、通信網２０を介して、基地局装置等の他の装置との間で各種データの送受信を行う。また、通信部４５２は、通信網２０、及びセルラー通信網５０を介して、データ残量管理サーバ５００等の他の装置との間で各種データの送受信を行う。
【００４０】
また、通信部４５２は、カード管理サーバ６００によって送信されるカードの識別情報を受信すると、該カードの識別情報をデータ量付与判定部４５６へ出力する。
通信制御部４５４は、ＣＰＵ４０２からの命令、及び通信Ｉ／Ｆ４１６によって実現される。通信制御部４５４は、通信部４５２と、カード管理サーバ６００の通信部６５２との間での接続処理や、通信制御を行う。また、通信制御部４５４は、後述するデータ量付与判定部４５６によって出力される端末装置の識別情報を通信部４５２からデータ残量管理サーバ５００へ送信する制御を行う。また、通信制御部４５４は、後述するデータ量付与判定部４５６によって出力されるデータ量を付与することを通知する情報を通信部４５２から端末装置１００へ送信する制御を行う。
【００４１】
記憶部４５８は、不揮発性メモリ４０６によって実現される。記憶部４５８は、ユーザ・端末装置対応テーブル４５８２を格納する。
＜ユーザ・端末装置対応テーブル＞
図７は、ユーザ・端末装置対応テーブル４５８２の一例を示す。ユーザ・端末装置対応テーブル４５８２には、ユーザの識別情報と、該ユーザによって使用される端末装置の識別情報とが対応付けられて記憶される。図７に示される例では、ユーザの識別情報「ＩＤ０１」と、ユーザによって使用される端末装置の識別情報「０１ａａ」とが対応付けられている。図５に戻り説明を続ける。
データ量付与判定部４５６は、ＣＰＵ４０２からの命令によって実現される。データ量付与判定部４５６は、通信部４５２によって供給されるユーザの識別情報が、ユーザ・端末装置対応テーブル４５８２に存在するか否かを判定する。具体的には、ユーザの識別情報が「ＩＤ０１」、「ＩＤ０２」、「ＩＤ０３」、及び「ＩＤ０４」のいずれかである場合、データ量付与判定部４５６は、存在すると判定する。データ量付与判定部４５６は、ユーザの識別情報がユーザ・端末装置対応テーブル５８２に存在すると判定した場合、該ユーザの識別情報に対応する端末装置の識別情報を取得する。そして、データ量付与判定部４５６は、該端末装置の識別情報を通信制御部４５４へ出力する。さらに、データ量付与判定部４５６は、端末装置の識別情報を通信制御部４５４へ出力した場合、データ量を付与することを通知する情報を作成し、通信制御部４５４へ出力する。一方、データ量付与判定部４５６は、ユーザの識別情報がユーザ・端末装置対応テーブル４５８２に存在しないと判定した場合、通信部４５２によって供給されたユーザの識別情報を破棄する。
【００４２】
＜データ残量管理サーバの機能構成＞
データ残量管理サーバ５００は、通信部５５２、通信制御部５５４、データ量管理部５５６、記憶部５５８、及び上記各構成要素を図５に示されているように電気的に接続するためのアドレスバスやデータバス等のバスライン５６０を有している。これらの各部は、図５に示されている各構成要素のいずれかが、データ残量管理サーバ５００において、不揮発性メモリ４０６からメモリ４０４上に展開されたプログラム４０６２を実行するＣＰＵ４０２からの命令によって動作することで実現される機能である。
＜データ残量管理サーバの各機能構成＞
図４及び図５を用いて、データ残量管理サーバ５００の各機能構成について詳細に説明する。なお、以下では、データ残量管理サーバ５００の各機能構成を説明するにあたって、図５に示されている各構成要素のうち、データ残量管理サーバ５００の各機能構成を実現させるための主なハードウェアとの関係も説明する。
【００４３】
通信部５５２は、ＣＰＵ４０２からの命令、及び通信Ｉ／Ｆ４１６によって実現される。通信部５５２は、セルラー通信網５０を介して、セルラー基地局装置３００等の他の装置との間で各種データの送受信を行う。また、通信部５５２は、セルラー通信網５０、及び通信網２０を介して、データ量付与管理サーバ４００等の他の装置との間で各種データの送受信を行う。また、通信部５５２は、データ量付与管理サーバ４００によって送信される端末装置の識別情報を表す情報を受信すると、該端末装置の識別情報をデータ量管理部５５６へ出力する。記憶部５５８は、不揮発性メモリ４０６によって実現される。記憶部５５８は、利用データ量テーブル５５８２を格納する。
【００４４】
＜利用データ量テーブル＞
図８は、利用データ量テーブル５５８２の一例を示す。利用データ量テーブル５５８２には、端末装置の識別情報と、利用可能データ量を表す情報とが対応付けられる。図８に示される例では、端末装置の識別情報「０１ａａ」と、利用可能データ量「２ＧＢ」とが対応付けられている。図４に戻り説明を続ける。
データ量管理部５５６は、ＣＰＵ４０２からの命令によって実現される。データ量管理部５５６は、通信部５５２によって供給される端末装置の識別情報に基づいて、利用データ量テーブル５５８２に含まれる利用可能データ量を変更する。一例として、端末装置１００の識別情報「０１ａａ」が通信部５５２によって受信された場合について説明する。この場合、通信部５５２は、データ量管理部５５６へ端末装置１００の識別情報「０１ａａ」を出力する。データ量管理部５５６は、利用データ量テーブル５５８２を参照し、通信部５５２によって供給された端末装置１００の識別情報「０１ａａ」に対応する利用可能データ量「２ＧＢ」を特定し、該「２ＧＢ」に予め設定されたデータ量を加算する。
【００４５】
通信制御部５５４は、ＣＰＵ４０２からの命令、及び通信Ｉ／Ｆ４１６によって実現される。通信制御部５５４は、通信部５５２と、データ量付与管理サーバ４００の通信部４５２との間での接続処理や、通信制御を行う。通信制御部５５４は、通信部５５２と、セルラー基地局装置３００の通信部３５２との間での接続処理や、通信制御を行う。
また、通信制御部５５４は、利用データ量テーブル５５８２に格納されている利用可能データ量のうち、端末装置１００によって送信されるデータ通信要求に付帯される端末装置の識別情報に対応する利用可能データ量に基づいて、該データ通信要求を送信した該端末装置１００によって行われるデータ通信を制御する。具体的には、通信制御部５５４は、端末装置１００が利用したデータ量に応じて、記憶部５５８に記憶される利用データ量テーブル５５８２において、端末装置１００の識別情報に対応する利用可能データ量を減少させる。通信制御部５５４は、利用可能データ量を減少させる場合、付与されたデータ量から減少させるようにしてもよい。そして、通信制御部５５４は、利用したデータ量が利用可能データ量に到達し、超過する場合、通信速度を制限する。通信速度を制限する場合、通信制御部５５４は、通信速度を制限することを表す情報を作成し、通信部５５２から端末装置１００へ送信する。この通信速度を制限することを表す情報は、セルラー基地局装置３００を経由して端末装置１００へ送信される。
【００４６】
＜本実施形態に係る無線通信システムの動作＞
図９は、本実施形態に係る無線通信システムの動作の一例を示す。
ステップＳ９０２では、ＰＯＳ端末装置２００の入力部３０８は、カード１０からカードの識別情報を取得する。
ステップＳ９０４では、ＰＯＳ端末装置２００の通信Ｉ／Ｆ３１６は、入力部３０８が取得したカードの識別情報をカード管理サーバ６００へ送信する。カード管理サーバ６００の通信部６５２は、ＰＯＳ端末装置２００が送信するカードの識別情報を受信する。
ステップＳ９０６では、カード管理サーバ６００の通信部６５２は、ＰＯＳ端末装置２００によって送信されるカードの識別情報を受信すると、該カードの識別情報をユーザ識別情報取得部６５８へ出力する。ユーザ識別情報取得部６５８は、通信部６５２からカードの識別情報が供給されると、カード・ユーザ対応テーブル６６２２から該カードの識別情報に対応するユーザの識別情報を取得し、通信制御部６５６へ出力する。通信制御部６５６は、該ユーザの識別情報を通信部６５２からデータ量付与管理サーバ４００へ送信する。データ量付与管理サーバ４００の通信部４５２は、カード管理サーバ６００が送信するユーザの識別情報を受信する。
【００４７】
ステップＳ９０８では、データ量付与管理サーバ４００のデータ量付与判定部４５６は、通信部４５２からユーザの識別情報が供給されると、該ユーザの識別情報が、ユーザ・端末装置対応テーブル４５８２に存在するか否かを判定する。
データ量付与判定部４５６は、ユーザの識別情報が、ユーザ・端末装置対応テーブル４５８２に存在しないと判定した場合、データを付与しないと判定する。この場合、データ量付与判定部４５６は、データ量を付与する処理を終了する。データ量付与判定部４５６は、該ユーザの識別情報を破棄するようにしてもよい。
ステップＳ９１０は、ステップＳ９０８において、データ量付与判定部４５６がユーザの識別情報が、ユーザ・端末装置対応テーブル４５８２に存在すると判定した場合に実行される。ステップＳ９１０では、データ量付与判定部４５６は、ユーザ・端末装置対応テーブル４５８２から、該ユーザの識別情報に対応する端末装置の識別情報を取得する。そして、データ量付与判定部４５６は、該端末装置の識別情報を通信制御部４５４へ出力する。通信制御部４５４は、通信部４５２からデータ残量管理サーバ５００へ端末装置の識別情報を送信する。データ量付与管理サーバ４００によって送信される端末装置の識別情報は、データ残量管理サーバ５００の通信部５５２によって受信される。
【００４８】
ステップＳ９１２では、データ量付与管理サーバ４００のデータ量付与判定部４５６は、データ量を付与することを通知する情報を作成し、通信制御部４５４へ出力する。通信制御部４５４は、データ量を付与することを通知する情報を通信部４５２から端末装置１００へ送信する。
ステップＳ９１４では、データ残量管理サーバ５００のデータ量管理部５５６は、通信部５５２によって供給される端末装置の識別情報に基づいて、記憶部５５８に記憶される利用データ量テーブル５５８２において、該端末装置の識別情報に対応する利用可能データ量を付与するデータ量だけ増加させる。
ステップＳ９１６では、端末装置１００の通信制御部１５６は、端末装置１００の識別情報を付帯したデータ通信要求を作成し、無線通信部１５２からセルラー基地局装置３００へ送信する。
ステップＳ９１８では、セルラー基地局装置３００の無線通信部３６０は、端末装置１００によって送信されるデータ通信要求を受信する。セルラー基地局装置３００の通信制御部３５４は、無線通信部３６０によって受信されたデータ通信要求を通信部３５２からデータ残量管理サーバ５００へ送信する。
ステップＳ９２０では、データ残量管理サーバ５００の通信部５５２は、セルラー基地局装置３００によって送信されたデータ通信要求を受信する。通信制御部５５４は、記憶部５５８に記憶された利用データ量テーブル５５８２に格納されている利用可能データ量のうち、データ通信要求に付帯される端末装置の識別情報に対応する利用可能データ量に基づいて、該データ通信要求を送信した該端末装置１００によって行われるデータ通信を制御する。
【００４９】
図１０は、本実施形態に係る無線通信システムの動作の一例を示す。図１０に示される例では、カード１０で購入した商品が返品されることで返金処理が行われる。
ステップＳ１００２では、ＰＯＳ端末装置２００の入力部３０８は、返金処理を行うカード１０からカードの識別情報を取得する。
ステップＳ１００４では、ＰＯＳ端末装置２００の通信Ｉ／Ｆ３１６は、入力部３０８が取得した返金処理を行うカードの識別情報をカード管理サーバ６００へ送信する。カード管理サーバ６００の通信部６５２は、ＰＯＳ端末装置２００が送信する返金処理を行うカードの識別情報を受信する。
【００５０】
ステップＳ１００６では、カード管理サーバ６００の通信部６５２は、ＰＯＳ端末装置２００によって送信される返金処理を行うカードの識別情報を受信すると、該返金処理を行うカードの識別情報をユーザ識別情報取得部６５８へ出力する。ユーザ識別情報取得部６５８は、通信部６５２からカードの識別情報が供給されると、カード・ユーザ対応テーブル６６２２から該カードの識別情報に対応するユーザの識別情報を取得し、通信制御部６５６へ出力する。通信制御部６５６は、該ユーザの識別情報を通信部６５２からデータ量付与管理サーバ４００へ送信する。データ量付与管理サーバ４００の通信部４５２は、カード管理サーバ６００が送信するユーザの識別情報を受信する。
ステップＳ１００８では、データ量付与管理サーバ４００のデータ量付与判定部４５６は、通信部４５２からユーザの識別情報が供給されると、ユーザ・端末装置対応テーブル４５８２から、該ユーザの識別情報に対応する端末装置１００の識別情報を取得する。そして、データ量付与判定部４５６は、該端末装置１００の識別情報を通信制御部４５４へ出力する。通信制御部４５４は、通信部４５２からデータ残量管理サーバ５００へ端末装置１００の識別情報を送信する。データ量付与管理サーバ４００によって送信される端末装置１００の識別情報は、データ残量管理サーバ５００の通信部５５２によって受信される。
ステップＳ１０１０では、データ残量管理サーバ５００のデータ量管理部５５６は、通信部５５２によって供給される端末装置１００の識別情報に基づいて、記憶部５５８に記憶される利用データ量テーブル５５８２において、該端末装置１００の識別情報に対応する利用可能データ量を付与するデータ量だけ減少させる。
【００５１】
本実施形態に係る無線通信システムによれば、カード管理サーバ６００は、カードを使用するユーザの識別情報をデータ量付与管理サーバ４００へ送信する。データ量付与管理サーバ４００は、端末装置１００へデータ量を付与するか否かを判定する。データ量付与管理サーバ４００は、データ量を付与すると判定した場合、ユーザの識別情報に対応する端末装置の識別情報をデータ残量管理サーバ５００へ通知する。データ残量管理サーバ５００は、端末装置の利用可能データ量を増加させる。つまり、ユーザが特定のカードを使用した場合に、該特定のカードのユーザに対応する端末装置へデータ量が付与される。このため、特定のカードでの購買を促すことができる。
【００５２】
＜第２の実施形態＞
＜無線通信システム＞
本実施形態に係る無線通信システムは、図１−図４を適用できる。ただし、データ量付与管理サーバ４００の代わりにデータ量付与管理サーバ７００を備え、データ残量管理サーバ５００の代わりにデータ残量管理サーバ８００を備える。
＜本実施形態に係る無線通信システムの機能構成＞
図１１は、本実施形態の無線通信システムを構成する端末装置１００、ＰＯＳ端末装置２００、セルラー基地局装置３００、カード管理サーバ６００、データ量付与管理サーバ７００、及びデータ残量管理サーバ８００の機能ブロック図である。
【００５３】
＜データ量付与管理サーバの機能構成＞
データ量付与管理サーバ７００は、通信部７５２、通信制御部７５４、データ量付与判定部７５６、記憶部７５８、及び上記各構成要素を図８に示されているように電気的に接続するためのアドレスバスやデータバス等のバスライン７６０を有している。これらの各部は、図１１に示されている各構成要素のいずれかが、データ量付与管理サーバ７００において、不揮発性メモリ４０６からメモリ４０４上に展開されたプログラム４０６２を実行するＣＰＵ４０２からの命令によって動作することで実現される機能である。
＜データ量付与管理サーバの各機能構成＞
図４及び図１１を用いて、データ量付与管理サーバ７００の各機能構成について詳細に説明する。なお、以下では、データ量付与管理サーバ７００の各機能構成を説明するにあたって、図４に示されている各構成要素のうち、データ量付与管理サーバ７００の各機能構成を実現させるための主なハードウェアとの関係も説明する。
図１１に示されているデータ量付与管理サーバ７００の通信部７５２、及び通信制御部７５４は、データ量付与管理サーバ４００の通信部４５２、及び通信制御部４５４を適用できる。記憶部７５８は、不揮発性メモリ４０６によって実現される。記憶部７５８は、ユーザ・端末装置対応テーブル７５８２と、付与データ量テーブル７５８４とを格納する。ユーザ・端末装置対応テーブル７５８２は、ユーザ・端末装置対応テーブル４５８２を適用できる。
【００５４】
＜付与データ量テーブル＞
図１２は、付与データ量テーブル７５８４の一例を示す。付与データ量テーブル７５８４には、ＰＯＳ端末装置の識別情報と、付与するデータ量を表す情報とが対応付けられる。図１２に示される例では、ＰＯＳ端末装置の識別情報「Ｐ０１」と、付与するデータ量「１ＧＢ」とが対応付けられている。図１１に戻り説明を続ける。
データ量付与判定部７５６は、ＣＰＵ４０２からの命令によって実現される。データ量付与判定部７５６は、通信部７５２によって供給されるユーザの識別情報が、ユーザ・端末装置対応テーブル７５８２に存在するか否かを判定する。データ量付与判定部７５６は、ユーザの識別情報がユーザ・端末装置対応テーブル７５８２に存在すると判定した場合、該ユーザの識別情報に対応する端末装置の識別情報を取得する。さらに、データ量付与判定部７５６は、ユーザの識別情報がユーザ・端末装置対応テーブル７５８２に存在すると判定した場合、通信部７５２によって供給されるＰＯＳ端末装置の識別情報に対応する付与するデータ量を表す情報を付与データ量テーブル７５８４から取得する。この場合、データ量付与判定部７５６は、端末装置の識別情報と、付与するデータ量を表す情報とを通信制御部７５４へ出力する。
端末装置の識別情報と、付与するデータ量を表す情報とを通信制御部７５４へ出力場合、さらに、データ量付与判定部４５６は、データ量を付与することを通知する情報を作成し、通信制御部７５４へ出力する。一方、データ量付与判定部７５６は、ユーザの識別情報がユーザ・端末装置対応テーブル７５８２に存在しないと判定した場合、通信部７５２によって供給されたユーザの識別情報を破棄する。
【００５５】
＜データ残量管理サーバの機能構成＞
データ残量管理サーバ８００は、通信部８５２、通信制御部８５４、データ量管理部８５６、記憶部８５８、及び上記各構成要素を図１１に示されているように電気的に接続するためのアドレスバスやデータバス等のバスライン８６０を有している。これらの各部は、図１１に示されている各構成要素のいずれかが、データ残量管理サーバ８００において、不揮発性メモリ４０６からメモリ４０４上に展開されたプログラム４０６２を実行するＣＰＵ４０２からの命令によって動作することで実現される機能である。
【００５６】
＜データ残量管理サーバの各機能構成＞
図４及び図１１を用いて、データ残量管理サーバ８００の各機能構成について詳細に説明する。なお、以下では、データ残量管理サーバ８００の各機能構成を説明するにあたって、図１１に示されている各構成要素のうち、データ残量管理サーバ８００の各機能構成を実現させるための主なハードウェアとの関係も説明する。通信部８５２、通信制御部８５４、記憶部８５８、及び記憶部８５８に記憶される利用データ量テーブル８５８２は、図５に示されているデータ残量管理サーバ５００の通信部５５２、通信制御部５５４、記憶部５５８、及び記憶部５５８を適用できる。
データ量管理部８５６は、ＣＰＵ４０２からの命令によって実現される。データ量管理部８５６は、通信部８５２によって供給される端末装置の識別情報と、付与するデータ量を表す情報とに基づいて、利用データ量テーブル８５８２に含まれる利用可能データ量を変更する。一例として、端末装置１００の識別情報「０１ａａ」と、付与するデータ量を表す情報「１ＧＢ」とが通信部８５２によって受信された場合について説明する。この場合、通信部８５２は、データ量管理部８５６へ端末装置１００の識別情報「０１ａａ」と、付与するデータ量を表す情報「１ＧＢ」とを出力する。データ量管理部５５６は、利用データ量テーブル８５８２を参照し、通信部８５２によって供給された端末装置１００の識別情報「０１ａａ」に対応する利用可能データ量「２ＧＢ」を特定し、該「２ＧＢ」に通信部５５２によって供給された付与するデータ量「１ＧＢ」を加算する。そして、データ量管理部５５６は、加算した値「３ＧＢ」を端末装置１００の識別情報「０１ａａ」に対応する利用データ量の欄に格納する。
【００５７】
＜本実施形態に係る無線通信システムの動作＞
図１３は、本実施形態に係る無線通信システムの動作の一例を示す。
ステップＳ１３０２では、ＰＯＳ端末装置２００の入力部３０８は、カード１０からカードの識別情報を取得する。
ステップＳ１３０４では、ＰＯＳ端末装置２００の通信Ｉ／Ｆ３１６は、入力部３０８が取得したカードの識別情報と、ＰＯＳ端末装置２００の識別情報とをカード管理サーバ６００へ送信する。カード管理サーバ６００の通信部６５２は、ＰＯＳ端末装置２００が送信するカードの識別情報と、ＰＯＳ端末装置２００の識別情報とを受信する。
ステップＳ１３０６では、カード管理サーバ６００の通信部６５２は、ＰＯＳ端末装置２００によって送信されるカードの識別情報と、ＰＯＳ端末装置２００の識別情報とを受信すると、該カードの識別情報をユーザ識別情報取得部６５８へ出力する。ユーザ識別情報取得部６５８は、通信部６５２からカードの識別情報が供給されると、カード・ユーザ対応テーブル６６２２から該カードの識別情報に対応するユーザの識別情報を取得し、通信制御部６５６へ出力する。通信制御部６５６は、該ユーザの識別情報と、ＰＯＳ端末装置２００の識別情報とを通信部６５２からデータ量付与管理サーバ７００へ送信する。データ量付与管理サーバ７００の通信部７５２は、カード管理サーバ６００が送信するユーザの識別情報を受信する。
【００５８】
ステップＳ１３０８では、データ量付与管理サーバ７００のデータ量付与判定部７５６は、通信部７５２からユーザの識別情報と、ＰＯＳ端末装置２００の識別情報とが供給されると、該ユーザの識別情報が、ユーザ・端末装置対応テーブル７５８２に存在するか否かを判定する。データ量付与判定部７５６は、ユーザの識別情報が、ユーザ・端末装置対応テーブル７５８２に存在しないと判定した場合、データを付与しないと判定する。この場合、データ量付与判定部７５６は、データ量を付与する処理を終了する。データ量付与判定部７５６は、該ユーザの識別情報と、ＰＯＳ端末装置２００の識別情報とを破棄するようにしてもよい。
ステップＳ１３１０は、ステップＳ１３０８において、データ量付与判定部７５６が、ユーザの識別情報がユーザ・端末装置対応テーブル７５８２に存在すると判定した場合に実行される。ステップＳ１３１０では、データ量付与判定部７５６は、ユーザ・端末装置対応テーブル７５８２から、該ユーザの識別情報に対応する端末装置１００の識別情報を取得する。さらに、データ量付与判定部７５６は、付与データ量テーブル７５８４から、該ＰＯＳ端末装置２００の識別情報に対応する付与するデータ量を表す情報を取得する。そして、データ量付与判定部７５６は、該端末装置１００の識別情報と、付与するデータ量を表す情報とを通信制御部７５４へ出力する。通信制御部７５４は、通信部７５２からデータ残量管理サーバ５００へ端末装置１００の識別情報と、付与するデータ量を表す情報とを送信する。データ量付与管理サーバ７００によって送信される端末装置１００の識別情報と、付与するデータ量とを表す情報とは、データ残量管理サーバ８００の通信部８５２によって受信される。
【００５９】
ステップＳ１３１２では、データ量付与管理サーバ７００のデータ量付与判定部７５６は、データ量を付与することを通知する情報を作成し、通信制御部７５４へ出力する。通信制御部７５４は、データ量を付与することを通知する情報を通信部７５２から端末装置１００へ送信する。
ステップＳ１３１４では、データ残量管理サーバ８００のデータ量管理部８５６は、通信部８５２によって供給される端末装置１００の識別情報と付与するデータ量とに基づいて、記憶部８５８に記憶される利用データ量テーブル８５８２において、該端末装置１００の識別情報に対応する利用可能データ量を付与するデータ量だけ増加させる。
ステップＳ１３１６−Ｓ１３２０は、図９のステップＳ９１６−Ｓ９２０を適用できる。なお、カード１０で購入した商品が返品されることで行われる返金処理は、図１０を適用できる。
【００６０】
本実施形態に係る無線通信システムによれば、カード管理サーバ６００は、カード１０を使用するユーザの識別情報と、カード１０によって支払う処理が行われたＰＯＳ端末装置の識別情報とをデータ量付与管理サーバ４００へ送信する。データ量付与管理サーバ７００は、端末装置１００へデータ量を付与するか否かを判定する。データ量付与管理サーバ７００は、データ量を付与すると判定した場合、ユーザの識別情報に対応する端末装置１００の識別情報と、ＰＯＳ端末装置２００に対応する付与するデータ量を表す情報とをデータ残量管理サーバ８００へ通知する。データ残量管理サーバ８００は、端末装置の利用可能データ量を付与するデータ量だけ増加させる。つまり、ユーザが特定のカード１０を使用した場合に、該特定のカード１０のユーザに対応する端末装置へ、該特定のカード１０によって支払う処理が行われたＰＯＳ端末装置２００に対応するデータ量が付与される。ＰＯＳ端末装置２００毎に付与するデータ量を設定できるため、特定のカードでの購買、及び特定のＰＯＳ端末装置での支払いを促すことができる。
【００６１】
＜変形例（その１）＞
本変形例に係る無線通信システムは、上述した第２の実施形態と、データ量テーブルが異なる。
図１４は、本変形例に係るデータ量付与管理サーバ７００の記憶部７５８に記憶される付与データ量テーブル７５８４の一例を示す。付与データ量テーブル７５８４には、ＰＯＳ端末装置の識別情報と、付与するデータ量を表す情報と、アクセス先を表す情報とが対応付けられる。図１４に示される例では、ＰＯＳ端末装置の識別情報「Ｐ０１」と、付与するデータ量「１ＧＢ」と、アクセス先「ｈｔｔｐ：／／ａａａ．ｃｏ．ｊｐ」とが対応付けられている。
【００６２】
データ量付与判定部７５６は、通信部７５２によって供給されるユーザの識別情報が、ユーザ・端末装置対応テーブル７５８２に存在すると判定した場合、該ユーザの識別情報に対応する端末装置の識別情報を取得する。さらに、データ量付与判定部７５６は、ユーザの識別情報がユーザ・端末装置対応テーブル７５８２に存在すると判定した場合、付与データ量テーブル７５８４から、通信部７５２によって供給されるＰＯＳ端末装置の識別情報に対応する付与するデータ量を表す情報と、アクセス先を表す情報とを取得する。この場合、データ量付与判定部７５６は、端末装置の識別情報と、付与するデータ量を表す情報と、アクセス先を表す情報とを通信制御部７５４へ出力する。さらに、データ量付与判定部４５６は、データ量を付与したことを通知する情報を作成し、通信制御部７５４へ出力する。データ残量管理サーバ８００のデータ量管理部８５６は、通信部８５２によって供給される端末装置の識別情報と、付与するデータ量を表す情報とに基づいて、利用データ量テーブル８５８２に含まれる利用可能データ量を変更する。また、通信制御部５５４は、利用データ量テーブル５５８２に格納されている利用可能データ量のうち、端末装置１００によって送信されるデータ通信要求に付帯される端末装置の識別情報に対応する利用可能データ量に基づいて、該データ通信要求を送信した該端末装置１００によって行われるデータ通信を制御する。ただし、通信制御部５５４は、データ量付与管理サーバ７００が通知したアクセス先を表す情報によって示されるアクセス先へアクセスする場合に付与したデータ量を利用する。
【００６３】
具体的には、通信制御部８５４は、端末装置１００が利用したデータ量に応じて、記憶部８５８に記憶される利用データ量テーブル８５８２において、端末装置１００の識別情報に対応する利用可能データ量を減少させる。通信制御部８５４は、利用可能データ量を減少させる場合、アクセス先を表す情報によって示されるアクセス先へアクセスする場合に付与したデータ量を減少させる。また、通信制御部８５４は、利用可能データ量を減少させる場合、アクセス先を表す情報によって示されるアクセス先以外へアクセスする場合に付与したデータ量以外のデータ量を減少させる。そして、通信制御部８５４は、利用したデータ量が利用可能データ量に到達し、超過する場合、通信速度を制限する。通信速度を制限する場合、通信制御部８５４は、通信速度を制限することを表す情報を作成し、通信部８５２から端末装置１００へ送信する。この通信速度を制限することを表す情報は、セルラー基地局装置３００を経由して端末装置１００へ送信される。
【００６４】
本変形例に係る無線通信システムの動作は、図１３を適用できる。ただし、ステップＳ１３１０では、データ量付与判定部７５６は、ユーザ・端末装置対応テーブル７５８２から、該ユーザの識別情報に対応する端末装置１００の識別情報を取得する。さらに、データ量付与判定部７５６は、付与データ量テーブル７５８４から、該ＰＯＳ端末装置２００の識別情報に対応する付与するデータ量を表す情報と、アクセス先を表す情報とを取得する。そして、データ量付与判定部７５６は、該端末装置１００の識別情報と、付与するデータ量を表す情報と、アクセス先を表す情報とを通信制御部７５４へ出力する。通信制御部７５４は、通信部７５２からデータ残量管理サーバ５００へ端末装置１００の識別情報と、付与するデータ量を表す情報と、アクセス先を表す情報とを送信する。データ量付与管理サーバ７００によって送信される端末装置１００の識別情報と、付与するデータ量とを表す情報と、アクセス先を表す情報とは、データ残量管理サーバ８００の通信部８５２によって受信される。
【００６５】
ステップＳ１３２０では、データ残量管理サーバ８００の通信部８５２は、セルラー基地局装置３００によって送信されたデータ通信要求を受信する。データ残量管理サーバ８００の通信制御部８５４は、記憶部８５８に記憶された利用データ量テーブル８５８２に格納されている利用可能データ量のうち、データ通信要求に付帯される端末装置の識別情報に対応する利用可能データ量に基づいて、該データ通信要求を送信した該端末装置によって行われるデータ通信を制御する。通信制御部８５４は、利用可能データ量を減少させる場合、アクセス先を表す情報によって示されるアクセス先へアクセスする場合に付与したデータ量を減少させる。また、通信制御部８５４は、利用可能データ量を減少させる場合、アクセス先を表す情報によって示されるアクセス先以外へアクセスする場合に付与したデータ量以外のデータ量を減少させる。
【００６６】
本変形例に係る無線通信システムによれば、ユーザが特定のカード１０を使用した場合に、該特定のカード１０のユーザに対応する端末装置へ、該特定のカード１０によって支払う処理が行われたＰＯＳ端末装置２００に対応するデータ量が付与され、さらに付与したデータ量を使用できるアクセス先を指定できる。ＰＯＳ端末装置２００毎に付与するデータ量を設定できるため、特定のカードでの購買、及び特定のＰＯＳ端末装置での支払いを促すことができる。さらに、付与したデータ量を使用できるアクセス先を指定できるため、該アクセス先へのアクセスを促すことができ、該アクセス先で特定のカード１０を使用した購買を促すことができる。
【００６７】
＜変形例（その２）＞
本変形例に係る無線通信システムは、上述した第２の実施形態と、データ量テーブルが異なる。
図１５は、本変形例に係るデータ量付与管理サーバ７００の記憶部７５８に記憶される付与データ量テーブル７５８４の一例を示す。付与データ量テーブル７５８４には、カードによって支払われる金額を表す情報と、付与するデータ量を表す情報とが対応付けられる。図１５に示される例では、カードによって支払われる金額「五千円未満」と、付与するデータ量「０．５ＧＢ」とが対応付けられている。
ＰＯＳ端末装置２００は、カード１０の識別情報と、カード１０によって支払われる金額を表す情報とをカード管理サーバ６００へ送信する。カード管理サーバ６００は、ＰＯＳ端末装置２００によって送信されるカードの識別情報と、カード１０によって支払われる金額を表す情報とを受信すると、カード・ユーザ対応テーブル６６２２から該カードの識別情報に対応するユーザの識別情報を取得し、該ユーザの識別情報と、カード１０によって支払われる金額を表す情報とをデータ量付与管理サーバ７００へ送信する。データ量付与管理サーバ７００のデータ量付与判定部７５６は、カード管理サーバ６００によって供給されるユーザの識別情報が、ユーザ・端末装置対応テーブル７５８２に存在すると判定した場合、該ユーザの識別情報に対応する端末装置の識別情報を取得する。さらに、データ量付与判定部７５６は、ユーザの識別情報がユーザ・端末装置対応テーブル７５８２に存在すると判定した場合、付与データ量テーブル７５８４から、カード管理サーバ６００によって供給されるカード１０によって支払われる金額を表す情報に対応する付与するデータ量を表す情報を取得する。この場合、データ量付与判定部７５６は、端末装置の識別情報と、付与するデータ量を表す情報とを通信制御部７５４へ出力する。さらに、データ量付与判定部７５６は、データ量を付与したことを通知する情報を作成し、通信制御部７５４へ出力する。データ残量管理サーバ８００のデータ量管理部８５６は、通信部８５２によって供給される端末装置の識別情報と、付与するデータ量を表す情報とに基づいて、利用データ量テーブル８５８２に含まれる利用可能データ量を変更する。また、通信制御部８５４は、利用データ量テーブル８５８２に格納されている利用可能データ量のうち、端末装置１００によって送信されるデータ通信要求に付帯される端末装置の識別情報に対応する利用可能データ量に基づいて、該データ通信要求を送信した該端末装置１００によって行われるデータ通信を制御する。
【００６８】
本変形例に係る無線通信システムの動作は、図１３を適用できる。ただし、ステップＳ１３０４では、ＰＯＳ端末装置２００の通信Ｉ／Ｆ３１６は、入力部３０８が取得したカード１０の識別情報と、カード１０によって支払われる金額を表す情報とをカード管理サーバ６００へ送信する。カード管理サーバ６００の通信部６５２は、ＰＯＳ端末装置２００が送信するカードの識別情報と、カード１０によって支払われる金額を表す情報を受信する。
ステップＳ１３１０では、データ量付与判定部７５６は、ユーザ・端末装置対応テーブル７５８２から、該ユーザの識別情報に対応する端末装置１００の識別情報を取得する。さらに、データ量付与判定部７５６は、付与データ量テーブル７５８４から、カード１０によって支払われる金額を表す情報によって示されるカードによって支払われる金額に対応する付与するデータ量を表す情報とを取得する。そして、データ量付与判定部７５６は、該端末装置１００の識別情報と、付与するデータ量を表す情報とを通信制御部７５４へ出力する。通信制御部７５４は、通信部７５２からデータ残量管理サーバ５００へ端末装置１００の識別情報と、付与するデータ量を表す情報とを送信する。データ量付与管理サーバ７００によって送信される端末装置１００の識別情報と、付与するデータ量とを表す情報とは、データ残量管理サーバ８００の通信部８５２によって受信される。
本変形例に係る無線通信システムによれば、ユーザが特定のカード１０を使用した場合に、該特定のカード１０によって支払われる金額に応じたデータ量が付与される。支払われる金額が高くなるにしたがって、付与するデータ量も多くなるため、特定のカードで、高額の購買を促すことができる。
【００６９】
＜変形例（その３）＞
本変形例に係る無線通信システムは、上述した第２の実施形態と、データ量テーブルが異なる。
図１６は、本変形例に係るデータ量付与管理サーバ７００の記憶部７５８に記憶される付与データ量テーブル７５８４の一例を示す。付与データ量テーブル７５８４には、カードによって購入された商品を表す情報と、付与するデータ量を表す情報とが対応付けられる。図１６に示される例では、カードによって購入された商品「ＡＡＡ」と、付与するデータ量「１ＧＢ」とが対応付けられている。
【００７０】
ＰＯＳ端末装置２００は、カード１０の識別情報と、カード１０によって購入された商品を表す情報とをカード管理サーバ６００へ送信する。カード管理サーバ６００は、ＰＯＳ端末装置２００によって送信されるカード１０の識別情報と、カード１０によって購入された商品を表す情報とを受信すると、カード・ユーザ対応テーブル６６２２から該カードの識別情報に対応するユーザの識別情報を取得し、該ユーザの識別情報と、カードによって購入された商品を表す情報とをデータ量付与管理サーバ７００へ送信する。データ量付与管理サーバ７００のデータ量付与判定部７５６は、カード管理サーバ６００によって供給されるユーザの識別情報が、ユーザ・端末装置対応テーブル７５８２に存在すると判定した場合、該ユーザの識別情報に対応する端末装置の識別情報を取得する。さらに、データ量付与判定部７５６は、ユーザの識別情報がユーザ・端末装置対応テーブル７５８２に存在すると判定した場合、付与データ量テーブル７５８４から、カード管理サーバ６００によって供給されるカードによって購入された商品を表す情報に対応する付与するデータ量を表す情報を取得する。この場合、データ量付与判定部７５６は、端末装置の識別情報と、付与するデータ量を表す情報とを通信制御部７５４へ出力する。さらに、データ量付与判定部７５６は、データ量を付与することを通知する情報を作成し、通信制御部７５４へ出力する。
データ残量管理サーバ８００のデータ量管理部８５６は、通信部８５２によって供給される端末装置の識別情報と、付与するデータ量を表す情報とに基づいて、利用データ量テーブル８５８２に含まれる利用可能データ量を変更する。また、通信制御部８５４は、利用データ量テーブル８５８２に格納されている利用可能データ量のうち、端末装置１００によって送信されるデータ通信要求に付帯される端末装置の識別情報に対応する利用可能データ量に基づいて、該データ通信要求を送信した該端末装置１００によって行われるデータ通信を制御する。
【００７１】
本変形例に係る無線通信システムの動作は、図１３を適用できる。ただし、ステップＳ１３０４では、ＰＯＳ端末装置２００の通信Ｉ／Ｆ３１６は、入力部３０８が取得したカード１０の識別情報と、カード１０によって購入された商品を表す情報とをカード管理サーバ６００へ送信する。カード管理サーバ６００の通信部６５２は、ＰＯＳ端末装置２００が送信するカードの識別情報と、カードによって購入された商品を表す情報を受信する。
ステップＳ１３１０では、データ量付与判定部７５６は、ユーザ・端末装置対応テーブル７５８２から、該ユーザの識別情報に対応する端末装置１００の識別情報を取得する。さらに、データ量付与判定部７５６は、付与データ量テーブル７５８４から、カード１０によって購入された商品を表す情報によって示されるカードによって購入された商品に対応する付与するデータ量を表す情報とを取得する。そして、データ量付与判定部７５６は、該端末装置１００の識別情報と、付与するデータ量を表す情報とを通信制御部７５４へ出力する。通信制御部７５４は、通信部７５２からデータ残量管理サーバ５００へ端末装置１００の識別情報と、付与するデータ量を表す情報とを送信する。データ量付与管理サーバ７００によって送信される端末装置１００の識別情報と、付与するデータ量とを表す情報とは、データ残量管理サーバ８００の通信部８５２によって受信される。
本変形例に係る無線通信システムによれば、ユーザが特定のカード１０を使用した場合に、該特定のカード１０によって購入された商品に応じたデータ量が付与される。購入された商品に応じて付与するデータ量を異ならせることができるため、特定のカードで、特定の商品を購入することを促すことができる。
【００７２】
上述した実施形態において、ＰＯＳ端末装置は一台でもよいし、三台以上であってもよい。また、セルラー基地局装置は二台以上であってもよい。また、カード管理サーバ６００、データ量付与管理サーバ４００、及びデータ残量管理サーバ５００によって実行される処理のうち、少なくとも二台のサーバによって行われる処理が一台のサーバで実行されてもよい。また、第１の実施形態−第２の実施形態のいずれかが組み合わされてもよい。
上述した実施形態において、ＰＯＳ端末装置２００毎に付与するデータ量をプールしておき、該プールしておいたデータ量が零になるまで、端末装置１００にデータを付与するようにしてもよい。また、データ残量管理サーバは、追加されたデータ量の残量が零になった場合に、データ量付与管理サーバに、データ量の残量がゼロになったことを通知するようにしてもよい。そして、データ量付与管理サーバは、記憶部に登録されているデータ量付与管理テーブルから該当の登録を削除するようにしてもよい。
【００７３】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更、組合せを行うことができる。これら実施形態及びその変形は、発明の範囲や要旨に含まれると同時に、特許請求の範囲に記載された発明とその均等の範囲に含まれるものである。
【００７４】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００７５】
上述した実施形態において、無線通信システムは通信データ量管理システムの一例であり、記憶部６６２は第１の記憶部の一例であり、通信部６５２は第１の送信部の一例であり、記憶部４５８は第２の記憶部、及び第５の記憶部の一例であり、通信部４５２は第２の送信部の一例であり、記憶部５５８は第３の記憶部の一例であり、通信制御部５５４は制御部の一例である。
また、ＰＯＳ端末装置はカードによって支払う処理を行う複数の装置の一例であり、データ量付与判定部７５６はデータ量決定部の一例である。
【符号の説明】
【００７６】
２０…通信網、５０…セルラー通信網、１００…端末装置、１５２…無線通信部、１５４…近距離無線通信部、１５６…通信制御部、１５８…操作検出部、１６２…表示制御部、１６４…記憶部、２００ａ、２００ｂ…ＰＯＳ端末装置、３００…セルラー基地局装置、３５２…通信部、３５４…通信制御部、３６０…無線通信部、３６２…記憶部、４００、７００…データ量付与管理サーバ、４５２、７５２…通信部、４５４、７５４…通信制御部、４５６、７５６…データ量付与判定部、４５８、７５８…記憶部、５００、８００…データ残量管理サーバ、５５２、８５２…通信部、５５４、８５４…通信制御部、５５６、８５６…データ量管理部、５５８、８５８…記憶部、４５８２、７５８２…ユーザ端末装置対応テーブル、７５８４…付与データ量テーブル、５５８２、８５８２…利用データ量テーブル、６００…カード管理サーバ、６５２…通信部、６５６…通信制御部、６５８…ユーザ識別情報取得部、６６２…記憶部、６６２２…カード・ユーザ対応テーブル
【図１】
0006548599.tif 000002
【図２】
0006548599.tif 000003
【図３】
0006548599.tif 000004
【図４】
0006548599.tif 000005
【図５】
0006548599.tif 000006
【図６】
0006548599.tif 000007
【図７】
0006548599.tif 000008
【図８】
0006548599.tif 000009
【図９】
0006548599.tif 000010
【図１０】
0006548599.tif 000011
【図１１】
0006548599.tif 000012
【図１２】
0006548599.tif 000013
【図１３】
0006548599.tif 000014
【図１４】
0006548599.tif 000015
【図１５】
0006548599.tif 000016
【図１６】
0006548599.tif 000017